(57)【要約】【課題】電子機器の放熱器における熱の自然対流効果を高める放熱フィン構造を提供する。【解決手段】放熱フィンは、本体３０を備え、本体３０は、第１の平面３１及び第２の平面３２をそれぞれ上下両側に有し、第１の平面３１側に向かって屈曲された少なくとも１つの第１の上昇導流部３３と少なくとも１つの第２の上昇導流部３４とが両端にそれぞれ設けられている。第１の上昇導流部３３と第２の平面３２の水平線とにより第１の角度をなす。第１の角度は、３０度〜８０度の範囲である。第２の上昇導流部３４と第２の平面３２の水平線とにより第２の角度をなす。第２の角度は、３０度〜８０度の範囲である。第１の上昇導流部３３は、複数の第１の延伸セクションを有し、第１の延伸セクションにより延伸形成されている。第２の上昇導流部３４は、複数の第２の延伸セクションを有し、第２の延伸セクションにより延伸形成されている。【選択図】図５
0003168331.tif 000002
【実用新案登録請求の範囲】
【請求項１】
本体を備える放熱フィンであって、
前記本体は、第１の平面及び第２の平面をそれぞれ両面側に有し、前記第１の平面側に向かって屈曲された少なくとも１つの第１の上昇導流部と少なくとも１つの第２の上昇導流部とが両端にそれぞれ設けられていることを特徴とする放熱フィン構造。
【請求項２】
前記第１の上昇導流部と前記第２の平面との間に第１の角度をなすことを特徴とする請求項１に記載の放熱フィン構造。
【請求項３】
前記第１の角度は、３０度〜８０度の範囲であることを特徴とする請求項２に記載の放熱フィン構造。
【請求項４】
前記第２の上昇導流部と前記第２の平面との間に第２の角度をなすことを特徴とする請求項１に記載の放熱フィン構造。
【請求項５】
前記第２の角度は、３０度〜８０度の範囲であることを特徴とする請求項４に記載の放熱フィン構造。
【請求項６】
前記第１の上昇導流部は、複数の第１の延伸セクションを有し、前記第１の延伸セクションにより延伸形成されていることを特徴とする請求項１に記載の放熱フィン構造。
【請求項７】
前記第２の上昇導流部は、複数の第２の延伸セクションを有し、前記第２の延伸セクションにより延伸形成されていることを特徴とする請求項１に記載の放熱フィン構造。
【請求項８】
少なくとも１つのヒートパイプ、複数の放熱フィン及びベースを備える放熱モジュールであって、
前記ヒートパイプは、放熱端及び吸熱端を有し、
前記複数の放熱フィンは、それぞれ本体を有し、              
前記本体は、第１の平面及び第２の平面を両面側にそれぞれ有し、前記第１の平面側に向かって屈曲された少なくとも１つの第１の上昇導流部と少なくとも１つの第２の上昇導流部とが両端に設けられ、
前記複数の放熱フィンは、隣接する第１及び第２の上昇導部の間で画成された複数の上昇流路を形成すると共に、前記ヒートパイプの前記放熱端が貫設され、
前記ベースには、前記ヒートパイプの前記吸熱端を貫設させる少なくとも１つの収容孔が設けられていることを特徴とする放熱モジュール。
【請求項９】
前記上昇流路は、互いに隣接した前記第１の上昇導流部間と、互いに隣接した前記第２の上昇導流部間とにそれぞれ画成されていることを特徴とする請求項８に記載の放熱モジュール。
【請求項１０】
前記第１の上昇導流部と前記第２の平面との間に第１の角度をなすことを特徴とする請求項８に記載の放熱モジュール。
【請求項１１】
前記第１の角度は、３０度〜８０度の範囲であることを特徴とする請求項１０に記載の放熱モジュール。
【請求項１２】
前記第２の上昇導流部と前記第２の平面との間に第２の角度をなすことを特徴とする請求項８に記載の放熱モジュール。
【請求項１３】
前記第２の角度は、３０度〜８０度の範囲であることを特徴とする請求項１２に記載の放熱モジュール。
【請求項１４】
前記第１の上昇導流部は、複数の第１の延伸セクションを有し、前記第１の延伸セクションにより延伸形成されていることを特徴とする請求項８に記載の放熱モジュール。
【請求項１５】
前記第２の上昇導流部は、複数の第２の延伸セクションを有し、前記第２の延伸セクションにより延伸形成されていることを特徴とする請求項８に記載の放熱モジュール。
【請求項１６】
前記放熱フィンのそれぞれに設けられた前記第１の平面及び前記第２の平面は、それぞれ被覆層を有することを特徴とする請求項８に記載の放熱モジュール。
【考案の詳細な説明】
【技術分野】
【０００１】
本考案は、電子機器の冷却装置用放熱フィン構造及びその放熱モジュールに関し、特に、熱の自然対流を促進させる効果を有する放熱フィン構造及びその放熱モジュールに関する。
【背景技術】
【０００２】
半導体技術の進歩に伴い、集積回路の体積も縮小している。近年の集積回路は、さらに多くのデータを処理するために、今までの集積回路と同じ体積で、数倍以上の素子を収容することが可能になったが、集積回路内の素子数が増加するにつれ、素子が動作するときに発生する熱が増大した。例えば、ＣＰＵは、動作が最大のとき、放出する熱によりＣＰＵ全体が損壊する虞があるため、集積回路の放熱装置は非常に重要である。
【０００３】
一般に放熱器は、熱伝導係数の高い金属材料からなり、放熱面積を増やすために、平面のフィン状に形成されている。また、ヒートパイプを用いて熱の放出速度を上げることにより放熱性を向上させ、集積回路が熱により損壊することを防止する。
【０００４】
図１を参照する。図１に示すように、従来の放熱モジュール１０は、複数のヒートパイプ１１、複数の放熱フィン１２及びベース１３を有する。ヒートパイプ１１は、吸熱端１１１及び放熱端１１２を有する。放熱フィン１２は、全体が平坦なプレート状であり、ヒートパイプ１１の放熱端１１２がそれぞれ貫設され、互いに一定の間隔を隔て積層され、その間に水平放熱流路１２１が設けられている。ヒートパイプ１１の吸熱端１１１は、ベース１３に嵌設される。
【０００５】
吸熱端１１１が、発熱素子により発生したベース１３の熱を吸収して放熱端１１２に伝達し、放熱フィン１２が、放熱端１１２の熱を吸収し、水平放熱流路１２１を介して外部に排出することにより放熱される。
【０００６】
しかしながら、放熱フィン１２が自然冷却により熱を排出するとき、頂部及び底部に配置された放熱フィン１２だけが、最適な放熱効果を有し、次に、放熱フィン１２の最も外側の側辺が好ましい放熱効果を有する。そのため、大部分の熱は水平放熱流路１２１内に蓄積され、特に、ヒートパイプ１１が放熱フィン１２と接続する箇所は、熱が最も蓄積されやすいため、従来の放熱モジュール１０は、自然冷却の効率が好ましくなく、放熱効率が大幅に低下する。従来の放熱モジュールが放熱効果を上げるためには、放熱フィン１２表面の使用面積を拡大し、放熱ファンを設ける必要があるため、放熱モジュール１０の重量が増加し、材料コストが増加する虞がある。そのため以下（１）〜（４）の欠点がある。
（１）自然冷却の効率が好ましくない。
（２）放熱の効率が低く、熱が蓄積され易い。
（３）放熱モジュールの重量が増加する。
（４）材料コストが高い。
【先行技術文献】
【特許文献】
【０００７】
【特許文献１】特開２０００−２８３６７０号公報
【考案の概要】
【考案が解決しようとする課題】
【０００８】
本考案の主な目的は、熱の自然対流効果を高める放熱フィン構造を提供することにある。
本考案のもう一つの目的は、熱の自然対流効果をさらに高める放熱フィン構造の放熱モジュールを提供することにある。
【課題を解決するための手段】
【０００９】
上記課題を解決するために、本考案の第１の形態によれば、本体を備える放熱フィンであって、前記本体は、第１の平面及び第２の平面をそれぞれ両側に有し、前記第１の平面に向かって屈曲された少なくとも１つの第１の上昇導流部と少なくとも１つの第２の上昇導流部とが両端にそれぞれ設けられていることを特徴とする放熱フィン構造が提供される。
【００１０】
また、前記第１の上昇導流部と前記第２の平面の水平線とにより第１の角度をなすことが好ましい。
【００１１】
また、前記第１の角度は、３０度〜８０度の範囲であることが好ましい。
【００１２】
また、前記第２の上昇導流部と前記第２の平面の水平線とにより第２の角度をなすことが好ましい。
【００１３】
また、前記第２の角度は、３０度〜８０度の範囲であることが好ましい。
【００１４】
また、前記第１の上昇導流部は、複数の第１の延伸セクションを有し、前記第１の延伸セクションにより延伸形成されていることが好ましい。
【００１５】
また、前記第２の上昇導流部は、複数の第２の延伸セクションを有し、前記第２の延伸セクションにより延伸形成されていることが好ましい。
【００１６】
上記課題を解決するために、本考案の第２の形態によれば、少なくとも１つのヒートパイプ、複数の放熱フィン及びベースを備える放熱モジュールであって、前記ヒートパイプは、放熱端及び吸熱端を有し、前記放熱フィンは、本体をそれぞれ有し、前記本体は、第１の平面及び第２の平面を両側にそれぞれ有し、前記第１の平面に向かって屈曲された少なくとも１つの第１の上昇導流部と少なくとも１つの第２の上昇導流部とが両端に設けられ、前記放熱フィンは、前記ヒートパイプの前記放熱端に貫設され、画成された複数の上昇流路を有し、前記ベースには、前記ヒートパイプの前記吸熱端を貫設させる少なくとも１つの収容孔が設けられていることを特徴とする放熱モジュールが提供される。
【００１７】
また、前記上昇流路は、互いに隣接した前記第１の上昇導流部間と、互いに隣接した前記第２の上昇導流部間とにそれぞれ画成されていることが好ましい。
【００１８】
また、前記第１の上昇導流部と前記第２の平面の水平線とにより第１の角度をなすことが好ましい。
【００１９】
また、前記第１の角度は、３０度〜８０度の範囲であることが好ましい。
【００２０】
また、前記第２の上昇導流部と前記第２の平面の水平線とにより第２の角度をなすことが好ましい。
【００２１】
また、前記第２の角度は、３０度〜８０度の範囲であることが好ましい。
【００２２】
また、前記第１の上昇導流部は、複数の第１の延伸セクションを有し、前記第１の延伸セクションにより延伸形成されていることが好ましい。
【００２３】
また、前記第２の上昇導流部は、複数の第２の延伸セクションを有し、前記第２の延伸セクションにより延伸形成されていることが好ましい。
【００２４】
また、前記放熱フィンのそれぞれに設けられた前記第１の平面及び前記第２の平面は、それぞれ被覆層を有することが好ましい。
【考案の効果】
【００２５】
本考案の放熱フィン構造及びその放熱モジュールは、熱を排出するとき、第１の上昇流路及び第２の上昇流路により熱を自然対流させ、放熱モジュールの自然冷却効率を向上させ、熱が蓄積されるのを防ぐことができる上、放熱フィン表面の使用面積を縮小することにより、重量を減少させ、材料コストを削減することができる。そのため以下（１）〜（４）の効果がある。
（１）自然冷却の効果を高めることができる。
（２）放熱効率が高いため、熱が蓄積されない。
（３）重量が減少する。
（４）材料コストが削減できる。
【図面の簡単な説明】
【００２６】
【図１】従来の放熱モジュールを示す斜視図である。
【図２】本考案の第１実施形態による放熱フィンを示す斜視図である。
【図３】本考案の第１実施形態による放熱フィンを示す正面図である。
【図４】本考案の第１実施形態による異なる角度の放熱フィンを示す正面図である。
【図５】本考案の第１実施形態による放熱モジュールを示す斜視図である。
【図６】本考案の第１実施形態による放熱モジュールを示す正面図である。
【図７】本考案の第２実施形態による放熱フィンを示す斜視図である。
【図８】本考案の第２実施形態による放熱モジュールを示す斜視図である。
【図９】本考案の第２実施形態による放熱モジュールを示す正面図である。
【図１０】本考案の第３実施形態による放熱フィンを示す斜視図である。
【図１１】本考案の第３実施形態による放熱モジュールを示す斜視図である。
【考案を実施するための形態】
【００２７】
以下、本考案の実施形態について図に基づいて説明する。なお、これによって本考案が限定されるものではない。
【００２８】
（第１実施形態）
図２、図３及び図４を参照する。図２、図３及び図４に示すように、本考案の第１実施形態による放熱フィン２０は、本体３０を有する。本体３０は、上側に設けられた第１の平面３１と、下側に設けられた第２の平面３２とを有する。また、本体３０は、第１の平面３１側に向かって屈曲された少なくとも１つの第１の上昇導流部３３と少なくとも１つの第２の上昇導流部３４とが両端にそれぞれ設けられている。さらに、第１の上昇導流部３３と、第２の平面３２の水平線とにより第１の角度３３１をなし、第２の上昇導流部３４と、第２の平面３２の水平線とにより第２の角度３４１をなす。第１の角度３３１及び第２の角度３４１は、３０度〜８０度の範囲であり、４５度〜６０度の範囲であるのが好ましい。
【００２９】
図２、図５及び図６を参照する。図２、図５及び図６に示すように、本考案の第１実施形態による放熱モジュール４０は、少なくとも１つのヒートパイプ５０、複数の放熱フィン２０及びベース６０を有する。ヒートパイプ５０は、一方の端部に放熱端５１を有し、他方の端部に吸熱端５２を有する。各放熱フィン２０は、本体３０をそれぞれ有する。本体３０は、上側に第１の平面３１を有し、下側に第２の平面３２を有し、一方の端部に第１の上昇導流部３３を有し、他方の端部に第２の上昇導流部３４を有する。本体３０は、第１の平面３１及び第２の平面３２に、ヒートパイプ５０の放熱端５１を貫設する少なくとも１つの貫通孔３５を設ける。ベース６０には、ヒートパイプ５０の吸熱端５２を貫設させるために用いる少なくとも１つの収容孔６１が設けられている。
【００３０】
互いに隣接する放熱フィン２０は、それぞれ相互の第１の平面３１と第２の平面３２との間に、少なくとも１つの水平放熱流路４１が画成されている。互いに隣接する第１の上昇導流部３３及び隣接する第２の上昇導流部３４間には、少なくとも１つの第１の上昇流路４２及び少なくとも１つの第２の上昇流路４３が設けられている。ヒートパイプ５０の吸熱端５２により、発熱素子（図示せず）から発生したベース６０の熱を吸収し、ヒートパイプ５０の放熱端５１に伝達し、放熱端５１が貫設された放熱フィン２０が、放熱端５１の熱を吸収し、水平放熱流路４１に熱を放散させる。さらに、熱い空気は上昇するという原理に基づき、放出された熱は、本体３０両端の第１の上昇流路４２及び第２の上昇流路４３により熱の自然対流を促進させる効果により、外部に排出される。放熱モジュール４０の自然冷却効率を大幅に向上させ、熱が水平放熱流路４１に蓄積されるのを防ぐことができると共に、放熱フィン２０の表面の使用面積を小さくすることができるため、重量を減らして材料コストを減らすことができる。
【００３１】
（第２実施形態）
図７、図８及び図９を参照する。図７、図８及び図９に示すように、本考案の第２実施形態による放熱フィン２０の本体３０は、一方の端部に第１の上昇導流部３３を有し、他方の端部に第２の上昇導流部３４を有する。第１の上昇導流部３３は、複数の第１の延伸セクション３３２を有し、第２の上昇導流部３４は、複数の第２の延伸セクション３４２を有する。第１の延伸セクション３３２が、互いに連接して延伸され、第１の上昇導流部３３を形成し、同様に、第２の延伸セクション３４２もまた互いに連接して延伸され、第２の上昇導流部３４を形成する。これにより、第１の上昇導流部３３と第２の上昇導流部３４とが弧状に形成される。
【００３２】
ヒートパイプ５０の放熱端５１は、複数の放熱フィン２０に貫通され、ヒートパイプ５０の吸熱端５２が、ベース６０に貫設される。放熱フィン２０に放熱端５１が貫通され、水平放熱流路４１が画成される。互いに隣接して弧状に形成された第１の上昇導流部３３間には、弧状の第１の上昇流路４２が画成され、互いに隣接して弧状に形成された第２の上昇導流部３４間には、弧状の第２の上昇流路４３が画成されている。第１の上昇流路４２及び第２の上昇流路４３は、水平放熱流路４１の両端にかけて延伸する。放熱モジュール４０は、弧状の第１の上昇流路４２及び第２の上昇流路４３により構成された空間により熱を自然対流させ、自然冷却効率を向上させることができる。
【００３３】
（第３実施形態）
図１０及び図１１を参照する。図１０及び図１１に示すように、本考案の第３実施形態による放熱フィン２０の本体３０は、一方の両端に、第１の上昇導流部３３及び第２の上昇導流部３４をそれぞれ有するほかに、他方の両端に、第３の上昇導流部３６及び第４の上昇導流部３７をそれぞれ有してもよい。互いに隣接した第３の上昇導流部３６間には、少なくとも１つの第３の上昇流路４４が設けられ、互いに隣接した第４の上昇導流部３７間には、少なくとも１つの第４の上昇流路４５が設けられることにより、放熱フィン２０は、水平放熱流路４１に熱を放出することができる。また、熱い空気は上昇するという原理に基づき、放出された熱が、本体３０の４つの端部に設けられた第１の上昇流路４２〜第４の上昇流路４５による熱の自然対流を促進させる効果により、外部に排出される。さらに、放熱モジュール４０の自然冷却効率を向上させ、熱が水平放熱流道４１に蓄積されるのを防ぎ、また、放熱フィン２０表面の使用面積を縮小することにより、重量を低減させて材料コストを減らすことができる。本考案の第３実施形態による部分構造及び技術内容は、第１実施形態と上述の点のみが異なるため、第１実施形態と同じその他の部分については、ここでは繰り返して述べない。
【００３４】
第３の上昇導流部３６及び第４の上昇導流部３７は、第２実施形態と同じく複数の延伸セクション（図示せず）により延伸形成されてもよく、また、第３の上昇導流部３６及び第４の上昇導流部３７は弧状でもよく、弧状の第３の上昇流路４４及び第４の上昇流路４５を形成し、熱が自然対流する空間を設けることにより、第２実施形態と同様に自然冷却効率を向上させることができる。
【００３５】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３６】
１０  放熱モジュール
１１  ヒートパイプ
１２  放熱フィン
１３  ベース
２０  放熱フィン
３０  本体
３１  第１の平面
３２  第２の平面
３３  第１の上昇導流部
３４  第２の上昇導流部
３５  貫通孔
３６  第３の上昇導流部
３７  第４の上昇導流部
４０  放熱モジュール
４１  水平放熱流路
４２  第１の上昇流路
４３  第２の上昇流路
４４  第３の上昇流路
４５  第４の上昇流路
５０  ヒートパイプ
５１  放熱端
５２  吸熱端
６０  ベース
６１  収容孔
１１１  吸熱端
１１２  放熱端
１２１  水平放熱流路
３３１  第１の角度
３３２  第１の延伸セクション
３４１  第２の角度
３４２  第２の延伸セクション
【図１】
0003168331.tif 000003
【図２】
0003168331.tif 000004
【図３】
0003168331.tif 000005
【図４】
0003168331.tif 000006
【図５】
0003168331.tif 000007
【図６】
0003168331.tif 000008
【図７】
0003168331.tif 000009
【図８】
0003168331.tif 000010
【図９】
0003168331.tif 000011
【図１０】
0003168331.tif 000012
【図１１】
0003168331.tif 000013